(57)【要約】      （修正有）【課題】塵埃の侵入を防止し、頑丈で長期の使用に耐え、かつ使用し易い構造体等の点検具を得る。【解決手段】横断面形状が５乃至８角形に形成されるとともに下のみが開口した袋穴を有する転打子１を伸縮自在の取手１２の軸４に回転自在に取り付けたものであって、転打子１を回転自在に保持する軸４の先端に円周溝９を設け、この円周溝９にプッシュナット１０を装着することによって、軸４に挿入された回転自在の軸受７の抜けを阻止する手段とし、軸受７を転打子１の袋穴２の雌螺子部３に螺合するようにした。【選択図】図１
2008151747.tif 000002
【特許請求の範囲】
【請求項１】
横断面形状が５乃至８角形に形成されるとともに下のみが開口した袋穴を有する転打子を伸縮自在の取手に回転自在に取り付けたものであって、前記転打子を回転自在に保持する軸の先端に溝を設け、この溝に軸用プッシュナットを装着することによって軸に挿入された回転自在の軸受の抜けを阻止する手段とし、軸受を転打子の袋穴に結合するようにしたことを特徴とする構造体等の点検具。
【請求項２】
軸受に転打子を結合する手段として、軸受の外周に設けた外周螺子と転打子に設けた内周螺子とを互いに螺合させたことを特徴とする請求項１記載の構造体等の点検具。
【請求項３】
軸用プッシュナットはステンレスよりなることを特徴とする請求項１記載の構造体等の点検具。
【発明の詳細な説明】
【技術分野】
【０００１】
本発明は、建物やトンネル或いは橋梁などの構造体の壁面に張り付けたモルタルやタイル等の浮きを簡単に検出できる構造体等の点検具に関する。
【背景技術】
【０００２】
構造体の壁面は、風雨からの保護や意匠上の見地からコンクリート構造物の表面にモルタルを塗ったり、タイルを貼っている。このようなモルタルやタイルは、施工のミス或いは何らかの原因で構造物との間に入った水が凍結するなどして、構造物表面との間に隙間が生じる浮きが発生することがあった。  
【０００３】
このような隙間即ち浮きが大きくなると、モルタルやタイルが剥がれ落ちる場合があり、極めて危険であるために事前に検出する必要がある。その検出手段として、トンネルなどの壁面をハンマーで叩き、その音によって判断するようにしていた。しかしこのような作業は効率が悪く、疲労度の高い作業であり浮きの発見の正確性も十分ではなかった。  
【０００４】
このため、特許文献１に開示されるような構造体等の点検具が開発された。これは、多角形の転打子を伸縮自在の取手に回転自在に取り付けたものであって、転打子を検査対象の壁面に当てながら転がすことによってコロコロと音が発生し、その音によってモルタルやタイルの浮きを発見するものである。  
【０００５】
この特許文献１に開示された構造体等の点検具によって、浮きの検出が極めて効率的で正確になった。しかしこのような構造体等の点検具が便利であるために過酷な使用がみられ、より頑丈な構造が求められるようになった。特に転打子は軽く回転する必要があるとともに、強固に取り付けられなければならないという二律背反の要求がある。  
【０００６】
特に転打子の使用に伴って構造体の壁面から塵埃が落ち、そのような悪い環境で使われるものでありながら、転打子の回転が重くなると、浮きの正確な検出ができなくなる。さらに伸縮自在の取手の先端に転打子が取り付けられる場合には、転打子を持って強く引き伸ばすような使い方が想定され、転打子が抜ける可能性もある。そして使用中に転打子が外れると、高所から転打子が落下することも想定され、極めて危険である。  
【０００７】
簡単な構造で、強固に回転部材の抜け止めを行う手段として、プッシュナットと呼ばれる物がある。このような物を使用した例として、特許文献２に開示されたものがある。  
【０００８】
特許文献２に記載のものは、軸に対し軸受が軽く回転するものであり、かつ強固に抜け止めがなされている。しかし、これは車のリクライニングシートに関するもので、砂塵が多く発生する場所で使用するものではない。  
【０００９】
一方、本願発明のものはトンネルの内壁などの上を転がして使用するものであり、操作によって内壁のモルタルが細かな砂塵となって落下する。これによって軸受内に砂塵が侵入し、軸受が磨耗したり回転不良を発生する。
【特許文献１】特許３７４２０３２号公報
【特許文献２】実用新案出願公開平成６年第１５５４５号公報
【発明の開示】
【発明が解決しようとする課題】
【００１０】
従来の構造体等の点検具は、モルタルなどの浮きを検出する効果が極めて高くなったのであるが、より寿命の長いものが求められるようになった。
【課題を解決するための手段】
【００１１】
本発明は以上のような課題を解決するため、先端に円周溝を有する軸に軸受を挿入し、この円周溝にプッシュナットを装着し、軸受を転打子に強固に取り付けたものである。
【発明の効果】
【００１２】
本発明は、以上説明したように構成されているので、以下に記載されるような効果を奏する。  
【００１３】
円周溝を有する軸に軸受を挿入し、その軸受を円周溝に装着したプッシュナットで抜け止めしたため、軸受は極めて強固に抜け止めされる。しかも軸受の回転を阻害するようなものがないため、軸受は軽く回転する。  
【００１４】
転打子は下面のみ開口し、軸受と軸との間は上部からは密閉されているため、上から落下する塵埃は軸受部分には侵入することがなく、塵埃によって軸受の回転が悪くなることはなく、長期の使用に耐える。  
【００１５】
軸受に転打子を螺合するだけで、軸受と転打子とは互いに強固に結合する。そして軸受はプッシュナットによって軸から強力な抜け止めがなされているため、転打子は軸に強固に取り付けられることになり、乱暴に取り扱われても転打子が軸から抜けることはない。  
【００１６】
プッシュナットはステンレスで構成されているため、湿度の高いトンネル内で使用されても、軸受の回転が阻害されることがない。
【発明を実施するための最良の形態】
【００１７】
本発明は以上のような課題を解決するため、横断面形状が５乃至８角形に形成されるとともに下のみが開口した袋穴を有する転打子を伸縮自在の取手に回転自在に取り付けたものであって、前記転打子を回転自在に保持する軸の先端に溝を設け、この溝に軸用プッシュナットを装着することによって軸に挿入された回転自在の軸受の抜けを阻止する手段とし、軸受を転打子の袋穴に結合するようにした。
【実施例１】
【００１８】
以下、本発明の具体的な実施例について図面に沿って詳細に説明する。図１は本発明の構造体等の点検具の部分拡大断面図である。  
【００１９】
１は転打子であり、横断面が５〜８角形でステンレスや鉄で作られ、鉄の場合はメッキを施す。転打子１は下から非貫通孔即ち袋穴２が設けられ、その内面に雌螺子部３が形成されている。  
【００２０】
４は軸であり、ステンレスなどの硬くて錆に強い金属より作られ、先に小径部５が形成され、小径部５の下端にワッシャ６が挿入されている。７は軸受であり、ナイロン等の潤滑性の良い合成樹脂あるいは真鍮などの摩擦が小さく錆び難い金属によって作られている。また軸受７の外周には、転打子１の雌螺子部３と螺合する雄螺子部８が形成されている。  
【００２１】
小径部５の上端付近には円周溝９が設けられ、この円周溝９にプッシュナット１０が嵌合している。そしてプッシュナット１０と軸受７の間にはワッシャ１１が挿入されている。図２にプッシュナットの拡大正面図を示す。  これによって、軸４の先端や軸受７は完全に覆われた状態となり、上から落下する塵埃などが軸受７に侵入する可能性が全くなくなる。さらにプッシュナットは一旦円周溝９に嵌合すると、極めて外れ難いものであり、少々乱暴に扱っても軸受７が軸４から外れることはない。  
【００２２】
また、図３及び図４に示すように、軸４の末端には取手１２が取り付けられている。この取手４は末端に向かうに従って直径が大きくなるよう形成されている。このため、作業者が例えば軍手をはめて、片手で取手１２を握り、他方の手で転打子１を握って、強く転打子１を引っ張った場合でも不用意に握った手から取手１２が抜けることがない。  
【００２３】
さらに取手１２は天然ゴム、合成ゴム、シリコンゴムあるいは可塑剤を含む塩化ビニルなどの柔軟な材料で作られ、柔軟にすることによって、取手１２を握った時に手に馴染み、手から滑り落ちることがない。このため、安全に作業が行えるとともに、必要以上に強く取手１２を握らなくてもよいため、作業者の疲労が少ない。  
【００２４】
そして、取手１２の表面には一様に細かな凹凸が形成されている。この凹凸によって表面部分がさらに柔軟になる。つまり本発明の構造体の点検具は、屋外で使用されることが多く、夏と冬とで使用される環境温度が著しく異なる場合が想定される。このため、取手１２を構成する材料の柔軟度が温度で変化すると、使用者にとって使用感が季節によって異なることになる。  
【００２５】
ところが表面に凹凸を設けることによって柔軟度を上げると、この部分の柔軟度は材料自体の柔軟度より柔らかくなり、材料の温度に依る柔軟度の変化にあまり影響を受けない。よって、使用環境の温度によって使用感が異なることが改善される。  
【００２６】
本発明は以上の説明のとおり建物やトンネル或いは橋梁などの構造体の壁面に張り付けたモルタルやタイル等の浮きを簡単に検出できる構造体等の点検具に関し、長寿命で使いやすい点検具を提供することができる。
【図面の簡単な説明】
【００２７】
【図１】構造体等の点検具の部分拡大断面図である。
【図２】プッシュナットを示す拡大正面図である。
【図３】構造体等の点検具の実施例を示す側面図である。
【図４】構造体等の点検具の実施例を示す側面図である。
【符号の説明】
【００２８】
１    転打子２    袋穴３    雌螺子部４    軸５    小径部６    ワッシャ７    軸受８    雄螺子部９    円周溝１０    プッシュナット１１    ワッシャ１２    取手
【図１】
2008151747.tif 000003
【図２】
2008151747.tif 000004
【図３】
2008151747.tif 000005
【図４】
2008151747.tif 000006